(57)【特許請求の範囲】
【請求項１】
医療用装置（１００）の複数の機能を実行する一つ以上のソフトウェア命令を格納するメモリ（６０２）を有し、前記医療用装置（１００）を動作させるコントローラ（１２０）と、
前記コントローラ（１２０）に接続され、前記医療用装置（１００）の複数の構成のそれぞれを定義していて、前記医療用装置（１００）の複数の構成のうちの選択された一つを特定するモデル選択装置（１０４Ａ〜Ｄ）とを備え、
前記コントローラ（１２０）は、前記コントローラに接続された前記モデル選択装置に基づいて、前記医療用装置（１００）を、一つ以上のソフトウェア命令から選択されたソフトウェア命令であって、前記モデル選択装置によって特定される前記選択された構成に対応する前記選択されたソフトウェア命令に従って、前記選択された構成で動作させ、
前記モデル選択装置は、複数の交換可能なユーザー入力装置のうちの１つであって、それぞれ一つ以上のボタンを有していて、前記コントローラに接続されたとき、医療用装置のユーザーによって選択された前記ソフトウェア命令を選択的に実行可能にするキーパッド装置から構成されたユーザー入力装置である構成変更可能な医療用装置（１００）。
【請求項２】
前記ユーザー入力装置のそれぞれおよび前記コントローラ（１２０）は、前記複数のユーザー入力装置のうちの選択された一つを前記コントローラ（１２０）に接続して前記選択された構成に従った前記医療用装置（１００）を構成するための、組み合わせ電気コネクタ（１２２）を有する請求項１の医療用装置（１００）。
【請求項３】
前記組み合わせ電気コネクタ（１２２）は、１セットのピンおよび対応する１セットのピン受け接点を備え、前記選択されたユーザー入力装置が前記コントローラ（１２０）に接続されると、前記セットのピンのうちの少なくとも２本のピンが、前記対応するピン受け接点に電気的に接続され、かつ
前記コントローラ（１２０）は、前記セットのピンのうちのどのピンが、前記対応するピン受け接点に電気的に接続されているかに基づいて、前記選択された構成を定義する前記医療用装置（１００）の一つ以上の機能を選択的に許容する請求項２の医療用装置（１００）。
【請求項４】
前記コントローラ（１２０）は、前記医療用装置（１００）を前記選択される構成で動作させるために、前記コントローラ（１２０）に接続された前記モデル選択装置（１０４Ａ〜Ｄ）に基づいて、前記選択される構成を定義する前記医療用装置（１００）の前記一つ以上の機能を選択的に許容するように構成されている請求項１ないし３のうちのいずれか一つの医療用装置（１００）。
【請求項５】
前記コントローラ（１２０）は、前記医療用装置（１００）を前記選択される構成で動作させるために、前記コントローラ（１２０）に接続された前記モデル選択装置（１０４Ａ〜Ｄ）に基づいて、前記選択される構成を定義しない前記医療用装置（１００）の前記複数の機能のうちの少なくとも一つを選択的に禁止するように構成されている請求項１ないし４のうちのいずれか一つの医療用装置（１００）。
【請求項６】
前記コントローラーメモリ（６０２）内に格納されて、前記医療用装置（１００）の複数の構成のうちの一つにそれぞれが対応する予め定義された医療用装置（１００）の複数の機能セットをそれぞれ表す複数のソフトウエアプロファイルをさらに備え、
前記コントローラ（１２０）は、前記医療用装置（１００）が初期化されるときに、前記モデル選択装置（１０４Ａ〜Ｄ）によって特定される前記選択された構成に対応する前記ソフトウエアプロファイルをロードするように構成される請求項１ないし５のうちのいずれか一つの医療用装置（１００）。
【請求項７】
前記コントローラ（１２０）は、前記コントローラ（１２０）に接続される前記モデル選択装置（１０４Ａ〜Ｄ）に基づいて、前記医療用装置（１００）の既定の設定を決定するように構成される請求項１ないし６のうちのいずれか一つの医療用装置（１００）。
【請求項８】
前記医療用装置（１００）は体温計である請求項１ないし７のうちのいずれか一つの医療用装置（１００）。
【請求項９】
医療用装置のための構成とそれぞれが関係付けられた複数のユーザー入力装置（１０４Ａ〜Ｄ）であって、交換可能なモデル特定のキーパッド装置からそれぞれ構成されたユーザー入力装置から一つのユーザー入力装置（１０４Ａ〜Ｄ）を選択するステップ（４０６）と、
前記選択された一つのユーザー入力装置（１０４Ａ〜Ｄ）を前記医療用装置のコントローラ（１２０）に接続するステップ（４０８）と、
前記医療用装置（１００）が有する機能の一部の機能であって、前記コントローラ（１２０）に接続された前記選択されたユーザー入力装置（１０４Ａ〜Ｄ）に関連して選択された前記医療装置の構成に応じた機能を選択的に動作させるよう前記コントローラを構成するステップ（４１０）と、
前記コントローラ（１２０）に接続されて前記選択されたユーザー入力装置（１０４Ａ〜Ｄ）の一つの機能のように前記選択された構成で前記医療用装置を動作させるステップとを含む構成変更可能な医療用装置（１００）を製造する方法。
【請求項１０】
前記キーパッドのそれぞれおよび前記コントローラ（１２０）は組み合わせ電気コネクタ（１２２）を有し、
前記選択された一つのユーザー入力装置（１０４Ａ〜Ｄ）を前記コントローラ（１２０）に接続するステップは、前記組み合わせ電気コネクタ（１２２）を介して、前記複数のキーパッドのうちの選択された一つを前記コントローラ（１２０）に接続して、前記選択された構成に従って前記医療用装置（１００）を構成するステップを含む請求項９の方法。
【請求項１１】
前記一つのユーザー入力装置を選択するステップの前に、前記医療用装置（１００）の複数の機能の動作を実行するために、前記コントローラ（１２０）のメモリ（６０２）内にコンピュータが実行可能な命令を格納するステップをさらに含み、
前記複数の機能の一部は前記構成のそれぞれを定義する請求項９または１０の方法。
【請求項１２】
前記コントローラ（１２０）を構成するステップは、前記選択された構成で前記医療用装置を動作させる前に、前記コントローラ（１２０）に接続されて前記選択された一つのユーザー入力装置（１０４Ａ〜Ｄ）に基づいて、前記医療用装置（１００）の複数の機能の一部でない、前記コンピュータが実行可能な命令により実行される前記機能のそれぞれを選択的に禁止するステップを含む請求項１１の方法。
【請求項１３】
前記一つのユーザー入力装置を選択するステップの前に、前記医療用装置（１００）の複数の構成のうちの一つにそれぞれが対応する予め定義された医療用装置（１００）の複数の機能セットをそれぞれ表す複数のソフトウエアプロファイルを前記コントローラ（１２０）のメモリ（６０２）内に格納するステップをさらに含み、
前記コントローラ（１２０）を構成するステップは、前記選択された構成で前記医療用装置を動作させる前に、前記医療用装置（１００）が初期化されるときに、前記選択された構成に対応する前記ソフトウエアプロファイルをロードするステップを含む請求項９ないし１２のうちのいずれか一つの方法。
【請求項１４】
前記コントローラ（１２０）を構成するステップは、前記選択された構成で前記医療用装置を動作させる前に、前記コントローラ（１２０）に接続されて前記選択されたユーザー入力装置（１０４Ａ〜Ｄ）の機能のように前記医療用装置（１００）の既定の設定を決定するステップを含む請求項９ないし１３のうちのいずれか一つの方法。
【請求項１５】
前記設定を変更可能な医療用装置（１００）は体温計である請求項９ないし１４のうちのいずれか一つの方法。
【発明の詳細な説明】
【技術分野】
【０００１】
本発明は、構成を変更可能な医療用装置に係り、特にマルチ構成の電子体温計に関する。
【背景技術】
【０００２】
医療用体温計は類似した特長を共有していることが多いが、単一モデルだけでは、全てのユーザー、または大部分のユーザーの様々に異なる要求を満たすことができない。例えば、緊急医療室の環境にいるユーザーは、患者の体温測定を迅速かつ容易に行える比較的単純な電子体温計を望む。操作に気を配らなくてもよいように、ユーザーインターフェースは、ユーザが体温計をオンにして体温を読取り、次いでオフにできるように設計されている。他方、小児科医療室では、例えば、ユーザーは、ある予測モードと別の予測モードの切換え、もしくは予測モードと直接測定モードの切換えが可能であるか、または温度測定のための患者の様々な身体部位（例えば、直腸、口腔、または脇の下）を切換可能な追加機能を望む。さらに、ユーザーの国が異なると、性能、機能等に対する期待が異なることも多い。したがって、製造者は、基本部品（すなわち、ハウジング、コントローラ、プローブ、およびディスプレイ）が同一で、ユーザーインターフェース、メニュー、ソフトウエア機能等が異なる幾つかの異なるモデルの体温計を製造しなければならない。
【発明の開示】
【０００３】
本発明の特徴は、複数の体温計モデルのうちの特定の体温計モデルとして、初期設定時に自動的に構成される共通仕様の電子体温計を提供する。各体温計は、別のモデルとして機能する場合でも、同一のハウジング、同一の組み込みソフトウエア、および同一のコントローラーアセンブリを含む。共通仕様の体温計は、ソフトウエアプログラムを格納するメモリを有するコントローラを備える。ソフトウエアプログラムは、全てのユーザーインターフェースメニューおよび共通仕様の体温計が実行可能な機能を実行するための命令を含む。一つの特定の体温計モデルに対応するモデル選択装置（例えば、オーバーレイのキーパッド）を、複数のこのような装置から選択し、コントローラに接続する。どのモデル選択装置が接続されたかに応じて、コントローラは、ソフトウエアプログラムの機能を許容および／または禁止する。したがって、製造者は、一種類のハウジングおよびコントローラを製造し、一つのソフトウエアプログラムを保持する一方で、多様な医療用体温計モデルの製造が可能となる。これは、例えば、製造効率を増大させ、製造および開発の費用を低減させる。
【０００４】
一実施の形態では、ソフトウエアプログラムは、多様な体温計モデルそれぞれのプロファイルを含む。特定の体温計モデルに対して独特のモデル選択装置が選択され、コントローラに接続される。体温計を初期化した時に、コントローラは、どのモデル選択装置が接続されているかを判定し、それと対応するソフトウエアプロファイルをロードする。
【０００５】
例えば、本発明の一実施の形態では、モデル選択装置はユーザー入力装置またはキーパッドである。薄い積層のオーバーレイは、一連のステンレス鋼のドームを上に取り付けた回路シートを含む。ステンレス鋼のドームは、ボタンとして機能して体温計のキーパッドを形成し、所望の体温計モデルと関連する標識を含むグラフィックシートでオーバーレイされる。オーバーレイは、体温計ハウジングに取り付けるための、グラフィックシートの裏に備えられる接着層も有する。オーバーレイキーパッドは、組立て時にリボンケーブル等および回路基板上の組合せ電気コネクタを介して、体温計の主コントローラ回路基板に接続される。電源を入れると、体温計のソフトウエアがオーバーレイキーパッド電子回路を走査して、接続されたオーバーレイの種類を決定する。感知されたオーバーレイキーパッドの種類に基づいて、体温計のソフトウエアは、体温計の機能を選択的に許容および／または禁止することにより、特定モードの仕様に従って機能するようにそれ自身を構成する。
【０００６】
本概要は、幾つかの考え方を簡単に紹介するために提供され、下記「詳細な説明」で更に説明する。本概要は、クレーム主題の主要特徴または基本的特徴を特定するよう意図されず、クレーム主題の範囲決定に用いられることも意図されていない。
【０００７】
他の特徴は、一部明らかになり一部については以後説明する。
【発明を実施するための最良の形態】
【０００８】
図１および図２を参照すると、図１は、一実施の形態による医療用体温計の全体を１００で示す側面立面図を示し、図２は、体温計１００のハウジング１０２の一部を取り外した背面斜視図を示す。体温計１００は、ハウジング１０２、キーパッド１０４Ａのようなユーザー入力装置、ディスプレイ１０６、コントローラ１２０、電源（例えば、バッテリ）、およびプローブコード１１０を介してハウジング１０２およびコントローラ１２０に取付けられるプローブ１０８を含む。コントローラ１２０は、キーパッド１０４Ａに接続するためのユーザー入力装置コネクタ１２２、および体温計１００の機能メニューを表示し、その機能を実行するためのコンピュータが実行可能な命令を有するソフトウエアプログラムを含む。キーパッド１０４Ａは、コントローラ１２０のユーザー入力装置コネクタ１２２に接続するためのケーブル１２４も含む。
【０００９】
図示の実施の形態では、ユーザー入力装置コネクタ１２２は、適当なピンヘッダーコネクタを係合させるための複数のピンを有するピンヘッダーである。しかし、スペード端子およびコネクタのような他の種類の組合せ電気コネクタ、またははんだ付けコネクタも、本発明の範囲内にある。ケーブル１２４は、キーパッド１０４Ａとコントローラ１２０との間の接続を確立するためのリボンケーブル、個別線材の束、または何らかの他の導電手段とすることができる。また、ユーザー入力装置１０４Ａは、ユーザー入力装置コネクタ１２２と直接係合することも、コントローラ１２０の回路基盤に直接取り付けることも、高周波識別のような無線手段によりコントローラ１２０と通信することも考えられ、いずれもケーブル１２４を削除できる。
【００１０】
本発明の特徴によれば、体温計１００は、複数の体温計モデルのうちの特定の体温計モデルとして初期設定時に自動的に構成される共通仕様の電子体温計を構成する。体温計１００は、別のモデルとして機能する場合でも、同一のハウジング１０２および同一のコントローラ１２０を含む。共通仕様の体温計１００のコントローラ１２０は、全てのユーザーインターフェイスメニューおよび本体温計が実行可能な機能を、実行するための命令を含むソフトウエアプログラムを格納するメモリ（図６参照）を有する。一つの特定の体温計モデルに対応するモデル選択装置（例えば、キーパッド１０４Ａのようなユーザー入力装置）を、上記のように、複数のこのような装置から選択し、コントローラ１２０に接続する。どのモデル選択装置が接続されたかに応じて、コントローラ１２０は、ソフトウエアプログラムの機能を許容および／または禁止する。モデル選択装置は、体温計モデルを特定するためのステッカーとすることも、モデル識別ネームプレート等にすることも考えられ、それぞれ、コントローラ１２０に接続するための手段を含む。
【００１１】
図３を参照すると、体温計１００は部分的に分解されて側面から示されている。キーパッド１０４Ａ上のケーブル１２４は、ハウジング１０２内の孔を通って、コントローラ１２０のコネクタ１２２に係合される。したがって、体温計１００全体を組み立てるとき、コントローラ１２０は、ハウジング１０２の背面内に嵌め込まれ、キーパッド１０４Ａは、図１に示すようにディスプレイ１０６に隣接して、ハウジング１０２の前面に固定される。
【００１２】
本発明の実施の形態に基づく操作では、ユーザーは、プローブ１８を格納位置から外すことにより体温計１００を初期化させ、適当な体温測定部位（例えば、口腔、直腸、または脇の下）で患者にプローブ１０８を接触させる。プローブ１０８は、プローブコード１１０を介して温度情報をコントローラ１２０に送る。コントローラ１２０は、患者の温度を決定し、決定した温度をディスプレイ１０６を介してユーザーに示す。医療用体温計のモデルは全て、この測定機能を実行するのが一般的であるが、体温計モデルが異なると、既定の設定、機能、およびユーザーインターフェース構成（例えば、メニュー）も異なる。例えば、あるモデルは、温度測定速度の方が精度より重要な場合に使用するための高速予測モードを既定動作モードとして製造されるが、精度の方が速度より重要な場合に使用するためのユーザー選択可能な低速な標準予測モードを提供する。例えば、このようなモデルは、本願と同一出願人による２００６年１０月６日付けで出願の米国特許出願第１１／５３９，４３８号に開示されており、この出願の全開示は引用して本明細書に組み込まれる。逆に、別のモデルは、標準予測モードを既定モードとし、高速予測モードをユーザー選択可能オプションとして製造される。モデルによっては、高速と標準の予測モードの切換えに関連するメニューをこれらのモデルから除外できるように、体温計を既定モード以外の測定モードで動作させることができないようにしている。モデルによっては、ユーザーが体温計を手動調整または校正することもでき、それができないモデルもある。体温計のモデルにより可能な、つまりモデルにより決まる既定の設定を有する他の機能およびオプションには、直接測定モード（測定を高速化するための予測アルゴリズムを使用しない）、盗難防止設定、予熱温度、プログラム可能な装置識別番号、テーマ音、バックライト、測定カウンタ、液晶ディスプレイテストスクリーン、およびバッテリ電圧読出しが含まれる。既定の設定、機能、およびユーザーインターフェースの構成とは無関係に、体温計モデルは全て、上記したものと同じ基本部品を有する。
【００１３】
図４Ａおよび図４Ｂを参照して、体温計１００で使用する二つの交換可能なユーザー入力装置を示す。例えば、薄い積層のオーバーレイは、一連のステンレス鋼のドームを上に取付けた回路シートを含む。ステンレス鋼のドームは、ボタンとして機能して体温計１００のキーパッド１０４Ａを形成し、所望の体温計モデルと関連する標識を含むグラフィックシートでオーバーレイされる。オーバーレイは、体温計ハウジングに取り付けるための、グラフィックシートの裏に設けた接着層も有する。オーバーレイキーパッド１０４Ａは、組立て時にケーブル１２４および組合せ電気コネクタ（例えば、コネクタ１２２）を介して、コントローラ１２０の主回路基板に接続される。電源を入れると、体温計のソフトウエアがオーバーレイキーパッド電子回路を走査して、接続されたオーバーレイの種類を決定する。感知されたオーバーレイキーパッドの種類に基づいて、体温計のソフトウエアは、体温計の機能を選択的に許容および／または禁止することにより、特定モードの仕様に従って機能するようにそれ自身を構成する。ソフトウエアは、故障が発生した場合に（例えば、キーパッド１０４Ａがコントローラ１２０から外れている場合）、体温計１００がディスプレイ１０６上にエラーを表示できるように、体温計のハードウエアを監視するための、体温計が動作している間に感知されたキーパッドを周期的に監視するための命令も有する。コネクタ１２２は、ピンヘッダおよび嵌合端子、スペード端子および嵌合端子、圧着型嵌合端子、はんだ接合アレイ、またはエポキシ固定裸リボンケーブル配線等の何らかの接続法により、リボンケーブル１２４を、対応する回路基板配線に係合させることが考えられる。
【００１４】
図示の実施の形態では、キーパッド１０４Ａは、第１機能セットを有する第１体温計モデル（例えば、モデルＡ）に対応する。第２ユーザー入力装置１０４Ｂ（すなわち、図４Ｂのキーパッド１０４Ｂ）は、第１と異なる第２機能セットを有する第２体温計モデル（例えば、モデルＢ）に対応する。体温計で使用するために任意の数のユーザー入力装置があってもよく、それぞれのユーザー入力装置は、異なる機能セット、既定の設定、および／またはユーザーインターフェース構成を有する異なる体温計モデルに対応することが考えられる。キーパッド１０４Ａは、３つのボタン、すなわち、測定部位ボタン３１０、タイマーボタン３１２、および温度尺度ボタン３１４を含む。測定部位ボタン３１０により、ユーザーは患者の体温を測定する部位を選択（例えば、口腔または脇の下を選択）できる。タイマーボタン３１２により、ユーザーは患者の脈拍をとることができる。温度尺度ボタン３１４により、ユーザーは、ディスプレイ１０６上に示される測定温度の単位を、華氏と摂氏との間で切換えることができる。第２キーパッド１０４Ｂには、測定部位ボタン３２０および温度尺度ボタン３２２が含まれる。第２キーパッド１０４Ｂに対応するモデルはタイマー機能を提供しない。第１と第２の機能セットの間には、校正機能およびメニュー、既定の単位（すなわち、華氏または摂氏）設定、既定の部位設定、既定の予測モード設定等の、他の違いがあってもよい。例えば、全機能装備モデル（例えば、オーバーレイ１０４Ａおよび１０４Ｃそれぞれと対応するモデルＡおよびＣ）は、バイオ（生物工学）技術機能（例えば、手動体温計校正、直接測定モード（測定を高速化するための予測アルゴリズムを使用しない）、盗難防止設定、予熱温度、プログラム可能装置識別番号、テーマ音、バックライト、測定カウンタ、液晶ディスプレイテストスクリーン、およびボタン電圧読み出し）を提供するが、機能が少ないモデル（例えば、オーバーレイ１０４Ｂおよび１０４Ｄそれぞれに対応するモデルＢおよびＤ）は、バイオ技術機能を提供しない。
【００１５】
動作では、キーパッド１０４Ａまたは１０４Ｂは、ピンヘッダ１２２に接続されると、ピンヘッダ１２２の少なくとも２本のピンを電気的に接続する。あるユーザー入力装置はどのピンも電気的に接続せず、他のユーザー入力装置は多数のピンまたはピンのセットを接続することが考えられる。ユーザーが体温計１００をオンにすると（例えば、プローブを外すか、キーパッドのボタンを押すか、または体温計１００の電源スイッチを作動させる）、コントローラ１２０は、ピンヘッダ１２２のどのピンが電気接続されているか、および／または電気接続されていないかを判定する。この判定に基づいて、コントローラ１２０は、体温計１００の既定のパラメータを設定し、体温計１００の機能および／またはメニューを選択的に許容および／または禁止することができる。したがって、体温計１００は、キーパッド１０４Ａが接続されている場合は、キーパッド１０４Ａに対応する体温計モデル、つまりモデルＡとして構成され、キーパッド１０４Ｂが接続されている場合は、キーパッド１０４Ｂに対応する体温計モデル、つまりモデルＢとして構成される。
【００１６】
図５を参照すると、複数のモデル（すなわち、モデルＡ、Ｂ、Ｃ、およびＤ）のうちの一つとして体温計１００を構成する、ピンヘッダ１２２の接続セット例を示している。これら接続例は、ピンヘッダ１２２が８ピンを含むと仮定している。モデルＢおよびＤの略図は、ピン８とピン３間の接続を含み、図４Ｂおよび図４Ｄの２ボタンキーパッドに対応する。モデルＡおよびＣの略図は、ピン８とピン３間の接続を含まず、図４Ａおよび図４Ｃの３ボタンキーパッドに対応する。したがって、コントローラ１２０は、モデルＢおよびＤを、モデルＡおよびＣと区別できる。モデルＢは、ピン１とピン３間の接続を含む一方で、モデルＤはそれを含まないし、モデルＡは、ピン１とピン３間の接続を含む一方で、モデルＣはそれを含まない。これにより、コントローラ１２０は、モデルＢとモデルＤとを更に区別でき、モデルＡとモデルＣとを区別できる。したがって、ピンヘッダ１２２のどのピン同士が接続されているかを解析することにより、コントローラ１２０は、接続されるキーパッドのモデルを判定でき、判定したモデルとして体温計１００を構成できる。言うまでもなく、他のモデルも利用可能である（例えば、異なるピン構成、復号化方式、または他のコンポーネント識別方式を用いることにより）。
【００１７】
図６は、図５に関して上記説明した接続による本発明の態様を実施する体温計１００をブロック図形式で示す。図６では、体温計１００は、特定の体温計モデル、モデルＡ、Ｂ、Ｃ、およびＤとして初期設定時に自動的に構成される共通仕様の電子体温計を構成する。共通仕様の体温計１００のコントローラ１２０は、全てのユーザーインターフェイスメニューおよび本体温計が実行可能な機能を実行するための命令を含むソフトウエアプログラムを格納するメモリ６０２を有する。モデル選択装置１０４Ａ〜１０４Ｄのうちのどれがコントローラ１２０に接続されたかに応じて、コントローラ１２０は、ソフトウエアプログラム内に実装された機能を許容および／または禁止して、体温計１００を、指定されたモデルに基づいて動作させる。利用可能な体温計モデル全体の機能およびオプションの全てに対する命令を含む一つのソフトウエアプログラムを有することにより、製造者はマーケットの需要に迅速に適応できる。例えば、製造者または代理店は、体温計の中心部（すなわち、モデル選択装置未搭載の体温計）を仕入れて、顧客の注文に応じたモデル選択装置を実装し、実装されたモデル選択装置を置換することにより所望の体温計モデルとして仕入れた体温計を再構成し、またはモデル選択装置を置換することにより顧客の既存の体温計に機能を追加することができる。
【００１８】
本発明の代替の実施の形態では、コントローラ１２０は、モデル選択装置から識別コードを取り出す、つまり受け取ることにより、接続されるモデル選択装置を判定する。ここで、特定の体温計モデルに対応するモデル選択装置は全て、同一の識別コードを提供する。コントローラ１２０は、体温計１００が接続されるモデル選択装置に対応する体温計モデルとして構成されるように、接続されるモデル選択装置が提供する識別コードの機能のように体温計１００を動作させる。識別コードをコントローラ１２０に送信するのは、線材、接点を介して、または無線で（例えば、ＲＦＩＤ技術により）行う。別の実施の形態では、コントローラ１２０は、複数のソフトウエアプログラムプロファイルを格納し、接続されたモデル選択装置に基づいてソフトウエアプロファイルをロードする。更に別の実施の形態では、タッチスクリーンインターフェースがモデル選択装置となって、ユーザー入力装置およびディスプレイの両方を置換し、ユーザー入力を受け取るとともに、測定した患者温度および体温計メニューを表示する。
【００１９】
図７を参照すると、体温計１００の製造方法が示されている。４０２で、製造者は、複数のコントローラ、ハウジング、ディスプレイ、およびモデル選択装置を製造する。４０４で、製造者は部品（すなわち、コントローラ、ハウジング、プローブ、コード、バッテリ、およびディスプレイ）を体温計中心部（すなわち、モデル選択装置未搭載の体温計）に組み込む。４０６で、モデル選択装置が複数のモデル選択装置から選択される。選択されたモデル選択装置は、製造者が製造を望む体温計モデルに対応する。４０８では、選択されたモデル選択装置が体温計中心部のコントローラに接続され、完全な体温計を形成する（例えば、体温計１００）。そして、４１０で、コントローラは、接続されたモデル選択装置の機能のように体温計を動作させる。
【００２０】
本明細書で図示し、説明した本発明の実施の形態における操作の実行または遂行の順序は、他に規定がない限り必須ではない。すなわち、操作は、他に規定がない限り任意の順序で行うことができ、本発明の実施の形態は、追加の操作を含み、または本明細書で開示したものより少ない操作を含んでもよい。例えば、別の操作の前、同時、または後の特定操作の実行または遂行は、本発明の態様の範囲内にあると考えられる。
【００２１】
本発明の実施の形態は、コンピュータで実行可能な命令で実装できる。コンピュータ実行可能な命令は、一つ以上のコンピュータ実行可能なコンポーネントまたはモジュールに体系化できる。本発明の態様は、そのようなコンポーネントまたはモジュールの任意の数および体系により実装できる。例えば、本発明の態様は、本明細書で図示され、説明される特定のコンピュータ実行可能命令または特定コンポーネントまたはモジュールに限定されない。本発明の他の実施の形態は、本明細書で図示され、説明される機能より数が多いこともあり、少ないこともある様々なコンピュータ実行可能命令またはコンポーネントを含むことができる。
【００２２】
本発明の態様またはその実施の形態の要素を導入する場合、冠詞「ある」、「一つの」、「その」、「前記」は、一つ以上の要素があることを意味するよう意図している。用語「備える」、「含む」および「有する」は包括的であり、列挙した要素以外の追加要素があることを意味するよう意図している。
【００２３】
本発明の態様を詳細に説明してきたが、言うまでもなく、付帯のクレームで定義するような本発明の態様の範囲から逸脱することなく、修正および改変が可能である。多様な変更を、本発明の態様の範囲から逸脱することなく、上記の構造、製品、および方法において行うことができるので、意図しているのは、上記説明に含まれ、付帯の図面に示される全てのことは、説明のためであって制限する意味はない、と解釈すべきである。
【図面の簡単な説明】
【００２４】
【図１】図１は、本発明の実施の形態による電子体温計の斜視図である。
【図２】図２は、モデル選択装置を組み込み、ハウジングの一部を取り外した図１の背面図である。
【図３】図３は、図２の体温計の部分分解組立背面図である。
【図４Ａ】図４Ａは、本発明の実施の形態による各種モデルとして図２の体温計を構成するのに用いるための、選択可能なモデル選択装置の前面図である。
【図４Ｂ】図４Ｂは、本発明の実施の形態による各種モデルとして図２の体温計を構成するのに用いるための、選択可能なモデル選択装置の前面図である。
【図４Ｃ】図４Ｃは、本発明の実施の形態による各種モデルとして図２の体温計を構成するのに用いるための、選択可能なモデル選択装置の前面図である。
【図４Ｄ】図４Ｄは、本発明の実施の形態による各種モデルとして図２の体温計を構成するのに用いるための、選択可能なモデル選択装置の前面図である。
【図５】図５は、各種モデルとして図２の体温計を構成するための、複数のモデル選択装置のジャンパー接続例の略図を示す。
【図６】図６は、図５の実施の形態により構成された図２の体温計を示すブロック図である。
【図７】図７は、本発明の実施の形態による体温計の製造法の態様を示す例示のフロー図である。
【図１】
0004870121.tif 000002
【図２】
0004870121.tif 000003
【図３】
0004870121.tif 000004
【図４Ａ】
0004870121.tif 000005
【図４Ｂ】
0004870121.tif 000006
【図４Ｃ】
0004870121.tif 000007
【図４Ｄ】
0004870121.tif 000008
【図５】
0004870121.tif 000009
【図６】
0004870121.tif 000010
【図７】
0004870121.tif 000011